Podtech/llm-jp-corpus-v4-ja_patent huggingface dataset:
(57)【要約】      （修正有）【課題】陰茎の毛擦れによる痛みを低減し、陰のうの蒸れによる痒みを解消し、排尿時には外部に取り出しやすい男性用パンツを提供する。【解決手段】パンツの前面中央部の上部に、大きなふくらみ１を設け、その下部に小さなふくらみ２を設ける。これにより快適な着用感覚の向上、維持を提供する。【選択図】図１
0003219430.tif 000002
【実用新案登録請求の範囲】
【請求項１】
パンツの前面中央部分（３）の上部に、陰茎を包み込む放物線半円すい形状の大きなふくらみ（１）を設け、その下部に陰のうを軽く収める半円形状の小さなふくらみ（２）を設けた２段ふくらみ付き男性用パンツ。
【考案の詳細な説明】
【技術分野】
【０００１】この考案は、パンツの前面部分に２段に分かれたふくらみを設けた男性用パンツに関するものである。
【背景技術】
【０００２】従来の男性用パンツは、前面部分に１段のふくらみを設けたものがあるのみ。
【考案の概要】
【考案が解決しようとする課題】
【０００４】これは次のような欠点があった。
（イ）ふくらみが１段のため、陰のうと陰茎がべったり接着して、陰茎が毛により擦れて痛くなったり、傷つく事があった。
（ロ）長時間接着している為に、陰のうを冷やしにくく蒸れて痒くなる。
（ハ）べったり接着しているので、小便時につかみ出しにくく不快。
本考案は、以上のような欠点をなくすためになされたものである。
【課題を解決するための手段】
【０００５】パンツの前面部分に、放物線半円すい形状の大きなふくらみ（１）を設け、その下部に半円形状の小さなふくらみ（２）を設ける。
本考案は、以上の構成よりなる２段のふくらみ付き男性用パンツである。
【考案の効果】
【０００６】陰茎をゆったり包み込む大きなふくらみ部分と陰のうを軽く収める小さなふくらみの２段に分かれているので、以下の点が解消されて快適な着用感覚を保つ事が可能。
（イ）陰茎の毛ずれによる痛みが減少する。
（ロ）常時両方が接着せず、蒸れや痒みが解消される。
（ハ）排尿時に、外部への取り出しも容易となる。
【図面の簡単な説明】
【０００７】
【図１】  本考案の側面図である。
【図２】  本考案の斜視図である。
【考案を実施するための形態】
【０００８】以下、本考案を実施するための形態について説明する。
パンツの前面中央部分（３）の上部に陰茎を包み込む大きな放物線半円すい形状の、ふくらみ（１）を設ける。そのふくらみ（１）の下方に陰のうを軽く収める小さな半円形状のふくらみ（２）を設ける。パンツの最上部は幅をとった弾力のあるゴム性の布帯（４）で、はき具合を安定させる。前面中央部分のゴム性の布帯（４）の下に、伸縮性のあるゴム性メッシュ部分（５）を設けて、ふくらみ部分全体を安定的に保持する。
本考案は、以上のような構造である。
【符号の説明】
【０００９】１  大きなふくらみ
２  小さなふくらみ
３  パンツ前面部
４  ゴム性の布帯
５  ゴム性メッシュ
【図１】
0003219430.tif 000003
【図２】
0003219430.tif 000004
(57)【要約】      （修正有）【課題】パワーネットに光電子・ゲルマニウム・トルマリン・チタンの含有素材を組み込んだ構造により、リンパの流れを促し、血流・血行促進効果を高めるとともに、リフトアップ効果及び小顔効果が得られるフェイスサポーターを提供する。【解決手段】パワーネット本体１に光電子・ゲルマニウム・トルマリン・チタンの含有素材２を裏全面に重ね、人間の頸部領域にて固定する基部領域３と、基部領域３から筒状に延出する素材が頭頂部で束ねられた素材を引き上げながら後頭部の面ファスナー若しくはファスナーにて連結させた中に挿入する。【選択図】図１
0003219421.tif 000002
【実用新案登録請求の範囲】
【請求項１】
伸縮性のあるパワーネット・シルク・レーヨン・ナイロン・ポリウレタン・ポリエステル・コットン等を基盤としたフェイスサポーターであって、素材が頭部から頸部まで全体を覆い、頭頂部にある素材の先端を引き上げ、後頭部付近の面マジックテープ若しくはファスナーにて人間の顔にフィット装着可能なフェイスサポーター。
【請求項２】
請求項１のフェイスサポーターであって、その裏面に光電子・ゲルマニウム・トルマリン・チタンの含有素材を張り付けた、人間の顔に装着可能なフェイスサポーター。
【請求項３】
請求項２のフェイスサポーターであって、当該フェイスサポーターを人間の顔に装着した場合、前記含有素材裏面の両頬部にはマイクロファイバー・ウレタン・シリコン・スポンジ等の付属品を備え、筋肉（頬肉）を押し上げリンパをスムーズにすると共に装着時のズレを防ぐフェイスサポーター。
【考案の詳細な説明】
【技術分野】
【０００１】本発明は、人間の顔に装着可能なフェイスサポーターに関するものである。
【背景技術】
【０００２】従来のフェイスサポーターには、人間の顔に装着可能なものでも、発汗性を高めることにより、小顔効果が得られるもので、シリコン素材のものが主流であり、長時間の装着には向かない仕様である。当技術は、光電子・ゲルマニウム・トルマリン・チタンなどの含有素材を使用し、小顔効果はもちろん、リフトアップ効果をより多くの使用者が得られたと感じる技術を考案する。また、入浴時・就寝時等、一日中装着し続けても苦にならず、気軽に使用できる技術を考案する。
【考案の概要】
【考案が解決しようとする課題】
【０００３】そこで、本発明は、人間の顔に装着可能な従来のフェイスサポーターに比べ、素材にリンパの流れを活性化させる光電子・ゲルマニウム・トルマリン・チタンなどの含有素材を採用し、より多くの使用者がリフトアップ及び小顔効果を得られたと実感できる技術を提供することを課題とする。
【課題を解決するための手段】
【０００４】上記課題を達成するため、各請求項記載の発明が構成される。【０００５】本発明にかかるフェイスネットは、素材に伸縮性のあるパワーネットを使用し、人間の顔に装着可能なフェイスサポーターであって、頸部周辺及び口領域から頭部を包み込むような構造をとる。全体素材には光電子・ゲルマニウム・トルマリン・チタンなどの含有素材が使用されている。頭頂部から顔、後頭部、顎、首筋にかけて筒状に延出する領域は、全方向に延在することができる。特に、この延出領域は、当該延出方向に所定の伸縮性を有する構成とされる。これにより、延出領域の伸縮性と光電子・ゲルマニウム・トルマリン・チタンなどの含有素材により、リンパの流れを促し、血流・血行促進効果を得られ、従来品よりもリフトアップ及び小顔効果が得ることができる。
【考案の効果】
【０００６】以上のように本発明によれば、従来のフェイスサポーターの機能に加え、光電子・ゲルマニウム・トルマリン・チタンなどの含有素材の使用により、より多くの使用者がリフトアップ及び小顔効果を得られたと実感することが可能となった。
【図面の簡単な説明】
【０００７】
【図１】本発明にかかる、フェイスサポーターを人間の顔に装着された状態にて示す正面図である。
【図２】図１中のフェイスサポーターを人間の顔に装着された状態で、横から見た際の図面である。
【図３】図１中のフェイスサポーターを人間の顔に装着させた状態で、後頭部から見た状態を示す図面である。
【図１】
0003219421.tif 000003
【図２】
0003219421.tif 000004
【図３】
0003219421.tif 000005
【図４】
0003219421.tif 000006
【手続補正書】
【提出日】平成30年9月28日(2018.9.28)
【手続補正１】
【補正対象書類名】実用新案登録請求の範囲
【補正対象項目名】全文
【補正方法】変更
【補正の内容】
【実用新案登録請求の範囲】
【請求項１】
伸縮性のあるパワーネット・シルク・レーヨン・ナイロン・ポリウレタン・ポリエステル・コットンを基盤としたフェイスサポーターであって、素材が頭部から頸部まで全体を覆い、頭頂部にある素材の先端を引き上げ、後頭部付近の面ファスナー若しくはファスナーにて人間の顔にフィット装着可能なフェイスサポーター。
【請求項２】
請求項１のフェイスサポーターであって、その裏面に光電子・ゲルマニウム・トルマリン・チタンの含有素材を張り付けた、人間の顔に装着可能なフェイスサポーター。
【請求項３】
請求項２のフェイスサポーターであって、当該フェイスサポーターを人間の顔に装着した場合、前記含有素材裏面の両頬部にはマイクロファイバー・ウレタン・シリコン・スポンジの付属品を備え、筋肉、頬肉を押し上げリンパをスムーズにすると共に装着時のズレを防ぐフェイスサポーター。
【手続補正２】
【補正対象書類名】明細書
【補正対象項目名】０００７
【補正方法】変更
【補正の内容】
【０００７】
【図１】  本発明にかかる、フェイスサポーターを人間の顔に装着された状態にて示す正面図である。
【図２】  図１中のフェイスサポーターを人間の顔に装着された状態で、横から見た際の図面である。
【図３】  図１中のフェイスサポーターを人間の顔に装着させた状態で、後頭部から見た状態を示す図面である。
【図４】  法令線の深さ・しわや個人差によってできる顔面の凹凸の違いを埋めるために、付属のシリコンパッドを装着した時の正面図及び横から見た際の図面である。
(57)【要約】      （修正有）【課題】バケツに水を入れタオル下部を浸した状態で干すことにより、低コストで簡単に加湿ができるバケツを提供する。【解決手段】バケツの外縁に角形取手１を垂直方向に掛止するストッパー３を設け、角形取手の上部にタオル４を止めるフック２を取り付け、水を入れたバケツにタオル下部を浸した状態で干すことにより部屋を加湿する。扇風機と併用し、タオルに風を当てれば気化熱により気温を下げ、涼風を楽しむことができる。【選択図】図１
0003219428.tif 000002
【実用新案登録請求の範囲】
【請求項１】
角形の取手２の上部両端にタオルを固定するフック３を付けた加湿用バケツである。
【請求項２】
バケツの外縁両側に取手２を垂直より少し斜めに掛止させるストッパー４を設けたバケツ。
【考案の詳細な説明】
【技術分野】
【０００１】  本考案はバケツの外縁に取手を垂直方向に掛止するストッパーと角形の取手上部にタオル止めのフックを製作し、水を入れたバケツにタオル下部を浸した状態で干すことにより部屋を加湿する効果のあるバケツに関するものである。
【背景技術】
【０００２】  部屋を加湿する安価で簡単な方法がなかった。
【考案の概要】
【考案が解決しようとする課題】
【０００３】  部屋の加湿を簡単に行う方法がないため、消費者は加湿器を購入する必要があった。
【課題を解決するための手段】
【０００４】  加湿用バケツは、水を入れたバケツにタオル下部を浸した状態で取手に干すことにより部屋を加湿することが可能である。また扇風機と併用し、タオルに風を当てれば気化熱により気温を下げる効果が得られる。
【考案の効果】
【０００５】  本考案により、消費者は簡単に部屋の加湿を行うことができる。
【図面の簡単な説明】
【０００６】
【図１】本考案の加湿用バケツの使用状態を示す斜視図である
【図２】本考案の加湿用バケツの正面図である。
【図３】本考案の加湿用バケツの側面図である。
【考案を実施するための形態】
【０００７】  本考案の加湿用バケツは、水と入れた状態で角形取手を垂直方向に掛止し、取手フックにタオル上部を留め、タオル下部を水に浸して使用する。
【実施例】
【０００８】  以下、図面に従って本考案の実施例を説明する。
図１は本考案の加湿用バケツの斜視図である。１バケツに水を入れ、２角形取手を垂直方向に４ストッパーを利用し掛止する。２角形取手の３フックにタオル上部を留めてタオル下部が水に浸った状態で使用する。また扇風機と併用し、タオルに風を当てれば気化熱により気温を下げる効果が得られる。
【符号の説明】１  角形取手
２  フック
３  ストッパー
４  タオル
【図１】
0003219428.tif 000003
【図２】
0003219428.tif 000004
【図３】
0003219428.tif 000005
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
角形の取手２の上部両端にタオルを固定するフック３を付けたことを特徴とする加湿用バケツ
【請求項２】
バケツの外縁両側に前記取手２を垂直より少し斜めに掛止させるストッパー４を設けたことを特徴とする請求項１に記載の加湿用バケツ。
(57)【要約】【課題】干された洗濯物に対して一方向からエアサーキュレータ等にて送風した場合、洗濯物を全体にわたって均一に早く乾燥させることができる物干具を提供する。【解決手段】ボス部１とボス部１に放射状に取着された複数の物干杆２を有する物干本体３を、備える。物干本体３を、鉛直軸心Ｌ廻りに回転させる電動モータ４を付設する。【選択図】図１
0003219143.tif 000002
【実用新案登録請求の範囲】
【請求項１】
ボス部（１）と該ボス部（１）に放射状に取着された複数の物干杆（２）を有する物干本体（３）を、備えるとともに、該物干本体（３）を、鉛直軸心（Ｌ）廻りに回転させる電動モータ（４）を付設したことを特徴とする物干具。
【請求項２】
ボス部（１）と該ボス部（１）に放射状に取着された複数の物干杆（２）を有する物干本体（３）を、備えるとともに、該物干本体（３）を、鉛直軸心（Ｌ）廻りに回転させる電動モータ（４）を付設し、
かつ、回転速度を調整する調整器（７）を付設したことを特徴とする物干具。
【考案の詳細な説明】
【技術分野】
【０００１】
本考案は、物干具に関する。
【背景技術】
【０００２】
従来、鉛直杆（吊下棒）と、この鉛直杆の下端に放射状に取着された複数の物干杆とを備えた物干具（いわゆるパラソルハンガー）が知られている（例えば、特許文献１参照）。
【先行技術文献】
【特許文献】
【０００３】
【特許文献１】特許第４５６７９２２号公報
【考案の概要】
【考案が解決しようとする課題】
【０００４】
しかし、特許文献１記載の物干具は、洗濯物を干した状態で、（手で外力を加えない限り）回転せず、停止状態を保つので、例えば、室内で洗濯物を干す際、乾燥時間を短縮させるために、干された洗濯物に対して一方向からエアサーキュレータ等にて送風する場合、洗濯物に、風が当たる部分と、当たらない部分が生じ、洗濯物を均一に乾燥させることができないという問題がある。そこで、本考案は、洗濯物を均一に早く乾燥させることができる物干具を提供することを目的とする。
【課題を解決するための手段】
【０００５】
そこで、本考案に係る物干具は、ボス部と該ボス部に放射状に取着された複数の物干杆を有する物干本体を、備えるとともに、該物干本体を、鉛直軸心廻りに回転させる電動モータを付設したものである。
また、ボス部と該ボス部に放射状に取着された複数の物干杆を有する物干本体を、備えるとともに、該物干本体を、鉛直軸心廻りに回転させる電動モータを付設し、かつ、回転速度を調整する調整器を付設したものである。
【考案の効果】
【０００６】
本考案の物干具によれば、干された洗濯物に対して一方向からエアサーキュレータ等にて送風した場合、洗濯物を全体にわたって均一に早く乾燥させることができる。
【図面の簡単な説明】
【０００７】
【図１】本考案の第１の実施の形態を示す斜視図である。
【図２】第２の実施の形態を示す斜視図である。
【考案を実施するための形態】
【０００８】
以下、図示の実施の形態に基づいて本考案を詳説する。
図１は、本考案の第１の実施の形態を示す。この物干具は、吊下式であって、上端９に取着部10を有する鉛直吊下杆11を備える。物干竿Ｐに取着部10を着脱自在に取着して使用される。２点鎖線は、洗濯物ＷとしてタオルＴを干した場合を例示する。洗濯物Ｗを早く乾かすために、干された洗濯物Ｗに対して一方向から乾燥器８（図２参照。例えば、エアサーキュレータ等の空気循環器、又は、ストーブ等の暖房器具）にて送風Ｆする。
【０００９】
ボス部１とボス部１に放射状に取着された複数の物干杆２を有する物干本体３を、備える。物干本体３は、例えば、樹脂又は金属から成る。物干杆２は、鉛直状に折畳み自在に、ボス部１に枢着される。
【００１０】
物干本体３を、図１の矢印Ｙ方向に、鉛直軸心Ｌ廻りに回転させる電動モータ４が付設される。具体的には、物干本体３の上側に電動モータ４を付設している。そして、この電動モータ４の駆動源としては、充電式の電池（図示省略）を用いるのが好ましい。電動モータ４の出力軸に、物干本体３のボス部１を連結する。５は、電動モータ４の運転又は停止を切替えるスイッチを示す。回転速度を（段階的に又は無段階に）調整する調整器７が付設される。
【００１１】
回転速度を、５回／分以上20回／分に設定する。回転速度が、５回／分未満の場合、乾燥ムラが生じる虞れがある。また、回転速度が、20回／分を超える場合、電池から出力される（時間当りの）電気消費量が増加してしまい、さらに、洗濯物Ｗが落下したり、洗濯物Ｗが相互に接触して、適切に乾燥させることができない虞れがある。
【００１２】
図２は、第２の実施の形態を示す。この物干具は、スタンド式であって、鉛直支持部材12及び支持台13を有し、載置面Ｇに載置して使用される。プラグ６をコンセント（図示省略）に差込むことにより、外部電力にて回転自在に設けられる。物干本体３の下側に電動モータ４を配設する。その他の構成は、第１の実施の形態と同様である。
【００１３】
なお、本考案は、設計変更可能であって、例えば、第１の実施の形態の電動モータ４を、物干本体３の下側に配設するも良い。また、第２の実施の形態の電動モータ４を、物干本体３の上側に配設するも良い。また、複数の物干本体３を備えるも良い。例えば、２つの物干本体３を、上下２段に配設するも良い。また、調整器７を省略するも良い。
【００１４】
以上のように、本考案は、ボス部１と該ボス部１に放射状に取着された複数の物干杆２を有する物干本体３を、備えるとともに、該物干本体３を、鉛直軸心Ｌ廻りに回転させる電動モータ４を付設したので、干された洗濯物Ｗに対して一方向から乾燥器８にて送風した場合、洗濯物Ｗを全体にわたって均一に早く乾燥させることができる。
また、ボス部１と該ボス部１に放射状に取着された複数の物干杆２を有する物干本体３を、備えるとともに、該物干本体３を、鉛直軸心Ｌ廻りに回転させる電動モータ４を付設し、かつ、回転速度を調整する調整器７を付設したので、干された洗濯物Ｗに対して一方向から乾燥器８にて送風した場合、洗濯物Ｗを全体にわたって均一に早く乾燥させることができる。また、回転速度を所望の速度に調節して、洗濯物Ｗの量や種類等に対応させて、適切に乾燥させることができる。
【符号の説明】
【００１５】
１  ボス部
２  物干杆
３  物干本体
４  電動モータ
７  調整器
Ｌ  鉛直軸心
【図１】
0003219143.tif 000003
【図２】
0003219143.tif 000004
(57)【要約】      （修正有）【課題】支柱体を設けてゲーム盤を平面使用から立てかけ使用が可能となって、はなれた位置からもゲーム状況が見え、多人数でのゲームが可能なオセロ用ゲーム具を提供する。【解決手段】各マス目の中心位置に磁性体７を取り付けたオセロ（商標登録）盤１と、表裏両面に磁石を埋め込んだオセロ駒と、オセロ盤１を後方から垂直方向に支えるオセロ盤支持体８と、を備えたオセロ用ゲーム具であって、オセロ盤１には、マス目領域の上側に横方向のマス目の順番を示す横一列の横マス目順番表示欄と、マス目領域の左右いずれかの側に縦方向のマス目の順番を示す縦一列の縦マス目順番表示欄を設け、さらに、次に打つオセロ駒の黒または白の色を示す標識体４をオセロ盤１に設けた。【選択図】図３
0003219144.tif 000002
【実用新案登録請求の範囲】
【請求項１】
各マス目の中心位置に磁性体（７）を取り付けたオセロ（商標登録）盤（１）と、
表裏両面に磁石（５）を埋め込んだオセロ駒（６）と、
オセロ盤（１）を後方から垂直方向に支えるオセロ盤支持体（８）と、を備えたオセロ用ゲーム具であって、
オセロ盤（１）には、
マス目領域（１０）の上側に横方向のマス目の順番を示す横一列の横マス目順番表示欄（２）と、
マス目領域（１０）の左右いずれかの側に縦方向のマス目の順番を示す縦一列の縦マス目順番表示欄（３）を設けたオセロ用ゲーム具。
【請求項２】
次に打つオセロ駒（６）の黒または白の色を示す標識体（４）をオセロ盤（１）に設けた請求項１に記載のオセロ用ゲーム具。
【請求項３】
標識体（４）は、スライド棒の両端に白黒の駒を取り付け、オセロ盤（１）の裏側を左右にスライドして、オセロ盤（１）の左右の一方から白または黒のオセロ駒（６）が現れるように構成した請求項２に記載のオセロ用ゲーム具。
【考案の詳細な説明】
【技術分野】
【０００１】
本考案は見やすく、扱いやすく、声の指示だけでも参加できる多人数で楽しめるオセロゲーム具に関する。
【背景技術】
【０００２】
ますます健康、長寿の高齢化社会の昨今、高齢者どうし、人とのふれあい、脳の活性化は日々の生活で欠かせない要素である。ルールがわかりやすいオセロゲームに参加し、ふれあいのひと時で知らず知らずに脳活性化が図れる。        
【考案の概要】
【考案が解決しようとする課題】
【０００３】
市販されているオセロゲームは、オセロ盤（１）、オセロ駒（６）とも小さくゲームの進行は向かい合う二人に限られるゲームであった。床、テーブルに水平に置かれたオセロ盤（１）のため、離れた距離からは見えず、向かい合う二人以外は参加できない。多人数での遊びには不向きのゲームであった。
【課題を解決するための手段】
【０００４】
本考案のオセロ用ゲーム具は、各マス目の中心位置に磁性体（７）を取り付けたオセロ（商標登録）盤（１）と、表裏両面に磁石（５）を埋め込んだオセロ駒（６）と、オセロ盤（１）を後方から垂直方向に支えるオセロ盤支持体（８）と、を備えたオセロ用ゲーム具であって、オセロ盤（１）には、マス目領域（１０）の上側に横方向のマス目の順番を示す横一列の横マス目順番表示欄（２）と、マス目領域（１０）の左右いずれかの側に縦方向のマス目の順番を示す縦一列の縦マス目順番表示欄（３）と、を設けたことを特徴とする。
【考案の効果】
【０００５】
従来の二人対戦ゲームを多人数対応に改良することにより、参加がしやすくゲーム中の人との対話、声だし、ゲームに集中する、考える、推理する、発表する、    相談する、人の話に耳を傾ける、大きな声を出す・・・などにより脳の活性化に効果が期待できるなど、オセロゲームの効果をより多くのひとが共有できる。
また立ちあがる、すわる、盤の位置まで歩くなどのあしの運動、駒の着脱動作をする際の手・指の運動動作などなど自然に脳、からだの活性効果にもつながる。
【図面の簡単な説明】
【０００６】
【図１】オセロ盤平面図
【図２】オセロ駒断面図
【図３】オセロ盤および支柱体の側面図
【図４】オセロ盤裏面及び支柱体、ゲーム進行順番標識体を示す図
【考案を実施するための形態】
【０００７】
本考案のオセロ用ゲーム具の実施形態の一例について図１から図４を参照して説明する。
図１に示すようにオセロ盤（１）のサイズは一例として縦横９００ｍｍの正方形サイズにした。すなわちオセロ盤（１）は従来のオセロ盤を拡大したものであり、さらにマス目領域（１０）のマス目、横マス目番号欄（２）、縦マス目記号欄（３）、さらにオセロ駒（6）も比例拡大した。従来の平面置仕様でなく図３に示すようにオセロ盤支柱体（８）によりほぼ垂直の状態に立てかける仕様にして多人数で、少し離れた位置からも見える、参加できるゲームとした。
オセロ盤（１）の各マス目の中心位置に磁性体（７）を取り付けた。
オセロ駒（６）の表裏両面に図２に示すように駒の着脱に充分な磁力の磁石（５）を埋め込み、立てかけ仕様のオセロ盤（１）の各マス目の磁性体（７）に吸着させる。
図１に示すようにオセロ盤（１）の８×８のマス目からなるマス目領域（１０）の上側に左隅より右横方向へのマス目の順番を示す横一列の横マス目番号欄（横マス目順番表示欄）（２）を設ける。マス目領域（１０）の縦方向のマス目領域の外側に縦方向へ升目の順番を示す縦一列の縦マス目の順番表示欄（３）を設ける。横マス目順番表示欄（２）縦マス目順番表示欄（３）の交差するゲーム仲間からの指示されたマス目に磁石で吸着された白駒は黒駒に  黒駒は白駒に手動で裏返してゲームを進行する。ゲームの仲間は横マス目番号欄の番号と縦マス目記号蘭の記号との組み合わせによってマス目を指定することができる。
図４に示すようにゲームの進行内容をわかりやすくするためにオセロ駒（６）の操作の順番を示す白黒の駒状の標識体（４）をオセロ盤（１）裏面上部に設けて左右にスライド操作して次は白  次は黒とオセロ盤（１）の枠外に標示してゲーム順番を参加者にわかりやすくした。
【産業上の利用可能性】
【０００８】
従来の一対一のゲームから多人数対応に変化させることにより  高齢者の脳活性化機能向上のための介護レクリエーション  に寄与できるものと確信します。  また幼児  学童等の知育学習,グループでの知育遊びとして楽しむことができる。
【０００９】
【符号の説明】
【００１０】
1  オセロ盤
２  横マス目番号欄（横マス目順番表示欄）
３  縦マス目記号欄（縦マス目順番表示欄）
４  ゲーム進行順番標識体
５  磁石
６  オセロ駒
７  磁性体（鉄板）
８  オセロ盤支柱体
８−１  支柱補強板
８−２  支柱土台
８−３  支柱
９  支柱保持枠
１０  マス目、マス目領域（数字欄１〜８×縦マス目記号欄Ａ〜Ｈ）
【図１】
0003219144.tif 000003
【図２】
0003219144.tif 000004
【図３】
0003219144.tif 000005
【図４】
0003219144.tif 000006
(57)【要約】      （修正有）【課題】ブラシ先端が損傷しても、損傷したブラシをワンタッチで切り取り、新しいブラシとして使用でき、無駄がなく有効的に使える万能ブラシを提供する。【解決手段】２ｃｍ位の長さのブラシを切り取り可能に縦に連結した連結ブラシとする。また、詰め替えブラシケースに連結ブラシを装着し、スライドさせて何度でも使えるようにする。【選択図】図２
0003219146.tif 000002
【実用新案登録請求の範囲】
【請求項１】
図２〜▲３▼連結されているブラシを図４〜▲４▼カッターナスフの替刃の原理で使えなくなった先端部分ワンタッチで切り取って次のブラシが使える万能ブラシ。
【請求項２】
図３の詰め替えブラシケースに図５の詰め替えブラシを何度でも装着可能にして使える万能ブラシ。
【考案の詳細な説明】
【０００１】市販されているさまざまなブラシは図１の▲２▼のように先端部分が特に消耗が激しくブラシ全体を有効に使えない為、ゴミ、ホコリ汚れなど取り除く事が出来ないという欠点があるので使いづらくもったいないです
ブラシ全体の先端が損傷した場合、損傷していない部分があっても、ブラシの機能を果たさないので図２の▲３▼を考案しました。
ブラシ全体（２ｃｍ位）を切り取り簡単な連結にする。
最初のブラシが消耗したらワンタッチで切り取り、連結してある新しいブラシを使用する。
こうすることにより無駄がなく有効的に使える万能ブラシになります。
【０００２】図３のように詰め替えブラシケースに、詰め替えブラシを、ワンタッチで装着しスライドさせて使うブラシを作ることにより利用する人が使いやすく、詰め替えブラシなので、従来のブラシより遥かに安価になり無駄な部分もなくなり、そして便利なブラシになります。
ブラシの部分を金属にすることにより、ガスコンロ等の火元の掃除などに幅広く活用できます。
【図面の簡単な説明】
【図１】は損傷した市販されているブラシの側面図
【図２】は本考案の連結ブラシの側面図
【図３】は本考案の詰め替えブラシ用ケースの斜視図
【図４】はカッターナイフ替刃の側面図
【図５】は本考案の詰め替えブラシの側面図
【図１】
0003219146.tif 000003
【図２】
0003219146.tif 000004
【図３】
0003219146.tif 000005
【図４】
0003219146.tif 000006
【図５】
0003219146.tif 000007
【手続補正書】
【提出日】平成30年5月17日(2018.5.17)
【手続補正１】
【補正対象書類名】実用新案登録請求の範囲
【補正対象項目名】全文
【補正方法】変更
【補正の内容】
【実用新案登録請求の範囲】
【請求項１】
図「▼２▲」「連結ブラシ（３）」、を図「▼４▲」、「カッターナイフの替刃（４）」の原理で使えなくなった先端部分を切り取って
次のブラシが使える万能ブラシ。
【請求項２】
図「▼３▲」の詰め替えブラシケースに図「▼５▲」の
詰め替えブラシを何度でも装着可能にして使える万能ブラシ
【手続補正３】
【補正対象書類名】明細書
【補正対象項目名】全文
【補正方法】変更
【補正の内容】
【考案の詳細な説明】
【考案の概要】
【０００１】市販されているさまざまなブラシは図「▼１▲」の「損傷したブラシ（２）」のように先端部分が特に消耗が激しくブラシ全体を有効に使えない為、ゴミ、ホコリ汚れなど取り除く事が出来ないという欠点があるので使いづらくもったいないです
ブラシ全体の先端が損傷した場合、損傷していない部分があっても、ブラシの機能を果たさないので  「▼２▲」の「連結ブラシ（３）」考案しました。
ブラシ全体（２ｃｍ位）を切り取り簡単な連結にする。
最初のブラシが消耗したらワンタッチで切り取り、連結してある新しいブラシを使用する。
こうすることにより無駄がなく有効的に使える万能ブラシになります。
【０００２】図「▼３▲」のように詰め替えブラシケースに、詰め替えブラシを、ワンタッチで装着しスライドさせて使うブラシを作ることにより利用する人が使いやすく、詰め替えブラシなので、従来のブラシより遥かに安価になり無駄な部分もなくなり、そして便利なブラシになります。
ブラシの部分を金属にすることにより、ガスコンロ等の火元の掃除など幅広く活用できます。
【図面の簡単な説明】
【０００３】
【図１】図１は損傷した市販されているブラシの側面図
【図２】図２は本考案の連結ブラシの側面図
【図３】図３は本考案の詰め替えブラシ用ケースの斜視図
【図４】図４はカッターナイフ替刃の側面図
【図５】図５は本考案の詰め替えブラシの側面図
【手続補正５】
【補正対象書類名】図面
【補正対象項目名】全図
【補正方法】変更
【補正の内容】
【図１】
0003219146.tif 000008
【図２】
0003219146.tif 000009
【図３】
0003219146.tif 000010
【図４】
0003219146.tif 000011
【図５】
0003219146.tif 000012
【手続補正書】
【提出日】平成30年9月20日(2018.9.20)
【手続補正１】
【補正対象書類名】実用新案登録請求の範囲
【補正対象項目名】全文
【補正方法】変更
【補正の内容】
【実用新案登録請求の範囲】
【請求項１】
ワンタッチで切り取り可能なようにブラシを縦に連結して、使えなくなった先端のブラシを切り取って次のブラシが使えるように形成されたことを特徴とする、万能ブラシ。
【請求項２】
詰め替えブラシケースに、縦に連結させた詰め替えブラシを装着し、何度でも装着可能にして使えるように形成されたことを特徴とする、万能ブラシ。
(57)【要約】      （修正有）【課題】管理農地やごみ処理施設などにおいて、害鳥獣駆逐装置を補助し効果の減衰しずらい駆逐装置を実現しうる、獣害対策音声認識識別装置を提供する。【解決手段】獣害対策音声認識識別装置は、周辺の音声を感知する音声信号入力部１と、音声信号入力部１より得た音声信号を認識し、特定の対象害獣を周波数により識別しうる音声認識識別装置２と、音声認識識別装置２より判断され出力される識別信号を害鳥獣駆逐装置３へと出力しうることを特徴とする。【選択図】図１
0003219134.tif 000002
【実用新案登録請求の範囲】
【請求項１】
周辺の音声を感知する音声信号入力部と、
前記音声信号入力部より得た音声信号を認識し、特定の対象害鳥獣を周波数により識別しうる音声認識識別装置と、
前記音声認識識別装置より判断され出力される識別信号を害鳥獣駆逐装置へと出力しうる
ことを特徴とする獣害対策音声認識識別装置。
【考案の詳細な説明】
【技術分野】
【０００１】
本考案は、獣害対策音声認識識別装置に関するものである。
【背景技術】
【０００２】
管理農地やごみ処理施設などにおいて、鳥獣害対策は不可欠な項目であり、古くは案山子から、爆音機など多種多様な対策が講じられて来た。
【０００３】
しかし、案山子や爆音機などは、常態的な設置や周期的な動作等により対象害鳥獣が対策に馴れてしまい徐々に効果を発揮しなくなりやすい。
【考案の概要】
【考案が解決しようとする課題】
【０００４】
管理農地やごみ処理施設などにおいて、害鳥獣駆逐装置を補助し効果の減衰しずらい駆逐装置を実現しうる、獣害対策音声認識識別装置を提供することにある。  
【課題を解決するための手段】
【０００５】
請求項１の考案は、管理農地やごみ処理施設などの周囲に周辺の音声を感知する音声信号入力部を１台又は複数台設置し、害鳥獣の侵入、飛来を前記音声信号入力部より得た、特定の固有周波数の音声により察知認識しうる音声認識識別装置により感知し、既存の害鳥獣駆逐装置を害鳥獣の侵入、飛来に合わせ効果的に動作させることを主要な特徴とする。
【考案の効果】
【０００６】
請求項１の考案によれば、獣害対策音声認識識別装置は、対象害鳥獣の侵入、飛来時に限定的に動作させることににより、対象害鳥獣に接近と装置の動作との関係を認識させ、接近に対する恐怖を与え、対象害鳥獣に対する重大な駆逐効果に加え、忌避効果をも提供することが出来得る。
【０００７】
また、システムがシンプルであるので、構造や構成の簡略化も容易であるため、生産コストの縮減も望める。
【図面の簡単な説明】
【０００８】
【図１】本考案装置の実施例１を示す説明図である。（実施例１）
【実施例１】
【０００９】
図１は、本考案装置の１実施例の図である。周辺の音声を感知する音声信号入力部１と、前記音声信号入力部１より得た音声信号を認識し、特定の対象害鳥獣を周波数により識別しうる音声認識識別装置２と、前記音声認識識別装置２より判断され出力される識別信号を害鳥獣駆逐装置３へと出力しうることを特徴とする獣害対策音声認識識別装置である。
【産業上の利用可能性】
【００１０】
本装置は、既存の害鳥獣駆逐装置を効率的、効果的に運用することを目的としており、ガス爆音機等の爆音公害の低減にも寄与するものである。スズメやカラス、鳩、鵜やムクドリなど様々な害鳥をターゲットとしており、水辺や農地、ごみ処理施設など様々な場面で広く活用できるものである。また、音声を正確に識別することにより、誤作動や無駄を軽減することが出来うる。更に、侵入、飛来時に音声を発するものであれば、広く対応することが出来うる。
【符号の説明】
【００１１】
１    音声信号入力部
２    音声認識識別装置
３    害鳥獣駆逐装置
【図１】
0003219134.tif 000003
(57)【要約】      （修正有）【課題】高い反発弾性を保有するクッション材により、折れ皺の跡がつかない表皮材を提供する。【解決手段】少なくともシート状のクッション材３と生地２をフレームラミネート加工により融着してなる表皮材１において、クッション材３は反発弾性が６０％以上の軟質ポリウレタンフォームであることを特徴とする。【選択図】図１
0003219187.tif 000002
【実用新案登録請求の範囲】
【請求項１】
少なくともシート状のクッション材と生地からなる表皮材において、前記クッション材は反発弾性が６０％以上の軟質ポリウレタンフォームであることを特徴とする表皮材。
【請求項２】
シート状のクッション材の表面に生地を備え、裏面にウレタンフィルムを備える表皮材において、前記クッション材は反発弾性が６０％以上の軟質ポリウレタンフォームであることを特徴とする表皮材。
【考案の詳細な説明】
【技術分野】
【０００１】  本考案は、クッション材と生地からなるクッション性の高い表皮材に関するものである。
【背景技術】
【０００２】  従来よりクッション材と生地からなる表皮材は、自動車や鉄道などのシートパッドの表皮材や、自動車内装材の表皮材として使用されている。
上記のような表皮材を製造する加工方法としてはフレームラミネート加工が知られており、クッション材の表面を加熱融解させ生地を溶着する加工として知られている。
クッション材として最も使用されているものは軟質ポリウレタンフォームであり、薄くスライスした長尺のシート品を用いている。
一般的なフレームラミネート用軟質ポリウレタンフォームは特許文献１にあるような高通気フォーム、特許文献２にあるような表面ソフト感のあるフォームなどが存在している。
しかし、上記した従来のクッション材ではクッション性が十分に得られなかった。従来のクッション材では、反発弾性が十分ではなく、運搬時や縫製時、アッセンブリ時にできた折れ皺の跡が残ってしまい市場クレームとなることもあった。
そこで、上記課題を解決する手段の提案が期待されていた。
【先行技術文献】
【特許文献】
【０００３】
【特許文献１】特開２０１１−１２１９９８
【特許文献２】特開２００１−００２７４９
【考案の概要】
【考案が解決しようとする課題】
【０００４】  本考案では、上記課題を解決したものであり、高い反発弾性を保有するクッション材により、折れ皺の跡がつかない表皮材を提供する。
【課題を解決するための手段】
【０００５】  この考案は上記課題を解決するための手段として、少なくともシート状のクッション材と生地からなる表皮材であって、前記クッション材は反発弾性が６０％以上の軟質ポリウレタンフォームであることを特徴とする。
【考案の効果】
【０００６】  反発弾性が６０％以上の軟質ポリウレタンフォームを使用することにより、運搬時や縫製時、アッセンブリ時に発生していた折れ皺の跡が残ることがなくなった。また、高い反発弾性により弾力が向上したため、高級感のある触感が得られている。
【図面の簡単な説明】
【０００７】
【図１】本考案の第１形態の断面図
【図２】本考案の第２形態の断面図
【図３】本考案の第２形態を用いたヘッドレスト製造の図
【考案を実施するための形態】
以下、本考案の好ましい実施の形態を添付した図面に従って説明する。
【実施例】
【０００８】  図１に示すように、本考案の第１の形態は、所定の軟質ポリウレタンフォームによるクッション材と生地を備え、双方をフレームラミネート加工により溶着する構造となっている。また、本考案の第２の形態は、図２に示すように、軟質ポリウレタンフォームの表面に生地を溶着し、裏面にウレタンフィルムを溶着する構造となっている。
なお、フレームラミネート加工は周知な技術であるため、詳細な説明は省くものとする。【０００９】  生地の材料としては、レーヨン、ナイロン、ポリエステル、ポリプロピレン、アクリル等のいずれかが適用可能である。本実施例ではポリプロピレンの生地を適用している。
クッション材として適用する軟質ポリウレタンフォームはＪＩＳＫ６４００−３に則り測定した反発弾性が６０％以上を有し、密度４０ｋｇ／ｍ３〜５０ｋｇ／ｍ３の連続気泡構造であるものであれば良い。なお、軟質ポリウレタンフォームの厚みは任意であるが、縫製のし易さを確保するため、本実施例では厚み３ｍｍ〜１０ｍｍの範囲に設定している。【００１０】  第２の形態は、図３に示すように、例えばヘッドレストでの表皮一体発泡成形に適したものであり、ヘッドレストの形状に縫製された表皮材として用いる。一体発泡成形では表皮材を成形金型に沿わせ、内部に発泡原液を流しいれる製造方法であるが、発泡原液がクッション材や生地にまで含浸し、固化してしまう不具合が発生する。そこで、軟質ポリウレタンフォームの裏面にウレタンフィルムを適用することで、内部に注入する発泡原料がクッション材や生地に含浸することを防止し、含浸原液の固化による異物感を防止することができる。【００１１】  本考案におけるウレタンフィルムの厚みは任意であるが、フレームラミネート加工に適した厚みとして２０μｍ〜６０μｍの範囲に設定している。【００１２】  この考案の表皮材であれば、皺が発生しても、高い反発弾性を保有するクッション材を用いているため、跡が残らない。そのため縫製時や運搬時、一体発泡成形時も品質を保つことができる。また、弾力があるため高級感のある触感を得られる効果がある。
【符号の説明】
【００１３】１、７  表皮材
２  生地
３  クッション材
４  ウレタンフィルム
５  ヘッドレスト成形金型
６  フレーム
８  発泡原液注入口
【図１】
0003219187.tif 000003
【図２】
0003219187.tif 000004
【図３】
0003219187.tif 000005
(57)【要約】      （修正有）【課題】従来の発電機では、回転が重くなり発電の効率が低下していたが、回転子を回す力が軽く、効率が低下しない発電機を提供する。【解決手段】固定子２は、本体１の内壁に密着する絶縁された導線を、回転方向にコイル状に一列に並べ内側を覆い、その導線の両端が、互いに接続されており、固定子３は、固定子２の内側に絶縁された導線を、中心の隙間を狭く細長く楕円に巻かれたコアレスコイルで、左巻き右巻きのものが交互に接触した状態で複数配置され、回転子は、磁気誘導性を有する素材で、円筒形状で形成された円筒体４の外周に回転子磁石５と導体６とが、回転方向に交互に複数配置され、回転子磁石５と導体６の外周に絶縁された導線を、コイル状に一列に並べ全周を覆い、その導線の両端が互いに接続されているコイル７が配置されている。【選択図】図１
0003219183.tif 000002
【実用新案登録請求の範囲】
【請求項１】
磁気誘導性を有する素材が、円筒形状に形成された本体と、本体の内壁全周に配置された固定子２と、固定子３の内側で回転する回転子と、を備え、回転子が回る事で固定子３に電気を発生させる発電機であり、
固定子２は、本体の内壁に密着する絶縁された導線を、回転方向にコイル状に一列に並べ内側を覆い、その導線の両端が、互いに接続されており
固定子３は、固定子２の内側に絶縁された導線を、中心の隙間を狭く細長く楕円に巻かれたコアレスコイルで、左巻き右巻きのものが交互に接触した状態で複数配置され
回転子は、磁気誘導性を有する素材で、円筒形状で形成された、円筒体の外周に回転子磁石と導体とが、回転方向に交互に複数配置された、回転子磁石と導体の外周に絶縁された導線を、コイル状に一列に並べ全周を覆い、その導線の両端が互いに接続されている、コイルが配置されている発電機。
【請求項２】
磁気誘導性を有する素材に、絶縁された導線を密着させて一列に並べて巻かれた線に、コアレスコイルで起電された電流を固定子２、に通す請求項１に記載の発電機。
【考案の詳細な説明】
【技術分野】
【０００１】  発電に関する
【背景の技術】
【０００２】  現在の発電機は、電流が使用されると回転が重くなり発電効率が低下していた。
【考案の概要】
【考案を解決するための課題】
【０００３】  コアレスコイルを磁石が通過すると発生する磁力で進行方向へ抑えられ、離れる時吸引され負荷となります、又、磁石や磁気誘導性の素材の片方が動く事で出る負荷も、課題でした、本考案は、発電効率の低下を軽減できる発電機を提供する事を目的とする。
【考案を解決するための手段】
【０００４】  本考案は、磁気誘導性を有する素材が、円筒形状に形成された本体と、本体の内壁全周に配置された、固定子２と、固定子３の内側で回転する回転子と、を備え、回転子が回る事で固定子３に電気を発生させる発電機であり、固定子２は、本体の内壁に、密着する絶縁された導線を、回転方向にコイル状に一列に並べ内壁を覆い、その導線の両端が、互いに接続されており固定子３は、固定子２の内側に絶縁された導線を中心の隙間を狭く細長く楕円に巻かれたコアレスコイルを、左巻き右巻きのものが交互に接触した状態で複数配置され、回転子は、磁気誘導性を有する素材で、円筒形状で形成された、円筒体の外周に回転子磁石と導体とが回転方向に、交互に複数配置され、回転子磁石と導体の上に回転方向にコイル状に一列に絶縁された導線を並べ全周を覆い、その導線の両端が互いに接続されているコイルが配置されている。
【０００５】  磁気誘導性を有する、素材に絶縁された導線を密着させて一列に並べて巻かれた線に、コアレスコイルで起電された電流を固定子２に通す請求項１に記載の発電機。
【考案の効果】
【０００６】  固定子２、や、磁石の外周に巻くコイル７、など、回転子磁石と回転子磁石の間に配置する導体と、で負荷を軽減する発電ができる。
【０００７】  磁気誘導性を有する素材が磁石と対向する面全体に密着させて覆う絶縁された導線を一列に並べて巻かれたコイルに、固定子３より、起電された電流を固定子２に通し回すと、回転が軽くなります。
【０００８】  初回転が軽く、回転子を回す力が軽くて済み、電気を使用しても、回転子への負荷が軽減され少ない力で発電できます。
【図面の簡単な説明】
【０００９】
【図１】      半割側面図
【図２】      正面図と円筒コイル
【図３】      コアレスコイル右巻左巻
【考案を実施するための形態】
【００１０】  この発電機は、磁気誘導性を有する素材が円筒形状に形成された本体１と、本体１の内壁全周に配置された、固定子２と、固定子３の内側で回転する回転子円筒４、とを備え、回転子磁石５が回る事で、固定子３に電気を発生させる発電機であり、
固定子２は、本体１の内壁に密着する絶縁された導線を、回転方向に、コイル状に一列に並べ内壁を覆い、その導線の両端がお互いに接続されており、固定子３は、固定子２の内側に絶縁された導線を、中心の隙間を小さくして細長く楕円に巻かれたコアレスコイルで、左巻き右巻きのものが交互に接触した状態で複数配置され、回転子５は、磁気誘導性を有する素材で円筒形状に形成された、回転子円筒体４の外周に、回転子磁石５と、導体６とが、回転方向に交互に複数配置され、回転子磁石５と、導体６の外周に、絶縁された導線をコイル状に一列に並べ外周を覆い、その導線の両端が互いに接続されたコイルが配置されている。
【００１１】  磁気誘導性を有する素材に、絶縁された導線を密着させて一列に並べて巻かれた線に、コアレスコイルで起電された電流を固定子２、に通す請求項１に記載の発電機。
【００１２】  コアレスコイル３の中心の隙間が磁石５の巾に近いと磁力が集中負荷となるため固定子３の隙間を、磁石５の巾より小さくし隙間をなくさず調節する。
【００１３】  本体は、固定子２の円筒形状Ａ  又は、テーパー形状Ｂが入る内壁にする。
【００１４】  絶縁された導線で、本体１の内壁形状に合せた固定子２の円筒形状Ａ  又は、テーパ形状Ｂに接着したコイル形状を作り、本体１に挿入する。
【００１５】  固定子２と、固定子３を一所に固着して、本体に挿入する。
【００１６】  回転子磁石のみで、固定子３、の起電を直結して回すと５回転ですが、固定子２、とコイル７、は個々の線を接続し導体を付けると８回転となる、これに固定子２、のみに電流を通すと、１０回転となる。
【００１７】  固定子３より固定子２に流される電流は、外部より固定子２に電流を通しても良い。
【００１８】  導体６と、固定子２と、コイル７で回転にかかる負荷を軽減させる事を特徴とする。
【００１９】  回転子磁石５と回転子磁石５の間に導体６を設けると回転が軽くなる。
【符号の説明】
【００２０】（１）  本体
（２）  固定子円筒形状コイルＡ、テーパ形状コイルＢ
（３）  固定子（コアレスコイル  右巻きと左巻き）
（４）  回転子円筒（磁性円筒体）
（５）  回転子磁石
（６）  導体
（７）  コイル（回転子磁石）
（８）  外蓋
（９）  回転軸
【図１】
0003219183.tif 000003
【図２】
0003219183.tif 000004
【図３】
0003219183.tif 000005
(57)【要約】【課題】簡単かつ便利に利用できる除草機能付き靴を提供すること。【解決手段】本考案は靴やブーツなど踵を覆う履物の、つま先部分及びつま先に連続する左右両側部分に、履物と一体不可分に成形された除草用刃物部分を有するようにしたものである。【選択図】図２
0003219188.tif 000002
【実用新案登録請求の範囲】
【請求項１】
靴本体と、靴本体のつま先部及びつま先部に隣接する左右側面部に設けられた除草刃とを有し、上記除草刃は上記靴本体と一体不可分に成形されてなることを特徴とする除草機能付き靴。
【考案の詳細な説明】
【技術分野】
【０００１】  本考案は、靴（以下ブーツをその代表にして説明する。）のつま先とそれに連続するつま先の左右両側に馬蹄形刃物状の部材を取り付けて、それを履く者の引掻け、あるいは蹴りの動作によって除草を可能にするものである。
【背景技術】
【０００２】  手で除草する器具、道具は従来から種々存在するが、履物に除草器具を装着して除草する器具も提案されている。
【先行技術文献】
【特許文献】
【０００３】
【特許文献１】実開平２−１４７００３号  公報
【考案の概要】
【考案が解決しようとする課題】
【０００４】  特許文献１に記載されたものは、除草のたびに履物に除草器具を装着しなければならず、手数がかかる。また、装着時に屈む姿勢となり、特に高齢者にとっては腰や膝に負担が掛かる。さらに、除草目的以外の時には除草器具を外さなければならないなど不便である。
【課題を解決するための手段】
【０００５】  本考案は、靴またはブーツなど踵を覆う履物の、つま先部分及びつま先に連続する左右両側部分に、履物と一体不可分に成形された除草用刃物部分を有するようにしたものである。
【考案の効果】
【０００６】  本考案の除草ブーツは、従来例のように除草器具を屈んで装着する必要もなく、腰や膝に負担が掛からない。また、引掻けあるいは蹴りの動作によって除草できるので、除草作業時両手が自由に使える。除草刃物部分の形状としては馬蹄形など、つま先の前方のみならず、つま先に連続する左右両側に刃物部分を形成することで、広い範囲の除草が可能となり、除草器具としての利便性が高まる。【０００７】  また、本考案の除草ブーツはブーツ本体と刃物部分を一体成形するため、製造工程が簡単である。
シンプルで刃物が目立たない形状であるため、除草目的に限定せずブーツ本来の目的でも使用でき、汎用性に富んでいる。
【図面の簡単な説明】
【０００８】
【図１】本考案の実施例を示す平面図である。
【図２】本考案の実施例を示す側面図である。
【考案を実施するための形態】
【０００９】  本考案にかかる除草用刃物部分の形成方法は複数考えられるが、いずれにしてもブーツ本体と馬蹄形の除草用刃物部分を一体不可分に成型することで本考案の効果が達成される。
【００１０】  刃物部分のブーツ長手方向の寸法としては、ブーツつま先部分で１ｃｍないし１．５ｃｍ程度とするのが除草作業上好ましい。あまり短いと除草作業の効率が下がり、あまり長いと普段履きの上で不都合である。そして、使用材質により強度を保持出来るよう連続する両側の刃物部分の寸法を決定する。
【実施例１】
【００１１】  本実施例は馬蹄形の除草用刃物部材をブーツ本体とは別に製作し、その後除草用刃物部材をブーツ本体に接着剤によって接着し、ブーツ本体と除草用刃物部材を一体不可分に成形したものである。図１は、このようにして成形された本実施例ブーツを上から見た平面図を示し、ブーツ本体１に馬蹄形状の除草用刃物部材２が接着されている。図２は本実施例ブーツを横から見た側面図を示す。【００１２】  馬蹄形の除草用刃物部材の材質としては、各種金属、十分な強度を有する硬化ゴム、硬化プラスチック、ＦＲＰ、炭素繊維などが考えられる。このような材料で、ブーツ本体のつま先部分およびそれに隣接する左右側面の外形に合う形状の刃物部材を作成し、これをブーツ本体に接着剤で接着する。この実施例では、ブーツ本体と除草用刃物部材とをそれぞれに最適な材料を選択して製作できるという利点がある。
【実施例２】
【００１３】  本実施例はブーツの製造工程として、ブーツ底部およびブーツ本体部をまず製造し、その後ブーツ底部およびブーツ本体部を接着等により一体化成形する場合に適する。以下の２つの例が可能である。【００１４】  その第一の例は、ブーツの底部と本体部の一体化成形時に、つま先部分にあらかじめ成形した馬蹄形状の除草部材を挟み込み、一体成形するものである。この構造は、ブーツと除草部材の材質が異なるときに好適である。【００１５】  その第二の例は、ブーツの底部形状として、つま先および側面部に除草用刃部分を有する金型を用いて一体的に成形するものである。この構造は、ブーツ底部と除草用刃部分を同じ材料で成形するときに好適である。また、この構造の場合は、除草用刃先端部分の強度を別途強化することが好ましい。
【符号の説明】
【００１６】  １  ブーツ本体
２  除草用刃物部材
【図１】
0003219188.tif 000003
【図２】
0003219188.tif 000004